(57)【要約】【課題】  管路遮断用バッグを取り出した時点での不用意なガスの放散を防止できる構成を備えたガス遮断装置を提供する。【解決手段】  ガスが流通する管路Ｐに形成された小径の連通孔Ｐ１に対して該ガスの流動方向に沿って一対の管路遮断用バッグＢ，Ｂ’を挿入する構成を備えたガス遮断装置において、上記バッグＢ．Ｂ’およびこれに対する気体流通部材４，４’を挿通させるバッグ挿入装置２と、上記バッグ挿入装置２と上記管路Ｐにおける連通孔Ｐ１との間に配置されて該連通孔Ｐ１を外部と遮断可能なシャッター装置３を備え、上記シャッター装置３は、上記一対の管路遮断用バッグＢ，Ｂ’の一つが抜き取られた際に、残置されている側の管路遮断用バッグＢの外周囲を挟持して抜き取られた管路遮断用バッグＢ’の挿通位置を塞ぐことができる構成３Ａ、３Ａ’を備えていることを特徴とする。【選択図】  図３
2005140158.tif 000002
【特許請求の範囲】
【請求項１】
ガスが流通する管路に形成された小径の連通孔に対して該ガスの流動方向に沿って一対の管路遮断用バッグを挿入する構成を備えたガス遮断装置において、
上記バッグおよびこれに対する気体流通部材を挿通させるバッグ挿入装置と、
上記バッグ挿入装置と上記管路における連通孔との間に配置されて該連通孔を外部と遮断可能なシャッター装置を備え、
上記シャッター装置は、上記一対の管路遮断用バッグの一つが抜き取られた際に、残置されている側の管路遮断用バッグの外周囲を挟持して抜き取られた管路遮断用バッグの挿通位置を塞ぐことができる構成を備えていることを特徴とするガス遮断装置。
【請求項２】
請求項１記載のガス遮断装置において、
上記シャッター部材は、上記管路の敷設方向に沿って摺動することで上記抜き取られた管路遮断用バッグの挿通位置を横断することが可能な一対のシャッター板を備え、該シャッター板における対向面に上記残置されている側の管路遮断用バッグの外周囲の半分の領域を挟持する形状の挟持面が設けられていることを特徴とするガス遮断装置。
【請求項３】
請求項１または２記載のガス遮断装置において、
上記シャッター部材は、その対向面同士の対向状態により、上記残置されている側の管路遮断用バッグ若しくは管路遮断用バッグの両方を挟持しない位置および全ての管路遮断用バッグが抜き取られた後にそれら管路遮断用バッグの挿通位置の全てを塞ぐことができる位置にそれぞれ摺動することができる構成を備えていることを特徴とするガス遮断装置。
【請求項４】
請求項２または３記載のガス遮断装置において、
上記シャッター板は、同一線上で摺動する構成であることを特徴とするガス遮断装置。
【請求項５】
請求項１乃至４のうちの一つに記載のガス遮断装置において、
上記管路遮断用バッグの内部に連通可能な気体流通部材は、気体流通が可能なパイプで構成され、該パイプは、長手方向において上記管路遮断用バッグが取り付け位置以外が該バッグ取り付け位置の中心に対して偏心した構成が用いられることを特徴とするガス遮断装置。
【発明の詳細な説明】
【技術分野】
【０００１】
本発明は、管路内に挿入される管路遮断用バッグにより管路内を流動するガスを遮断する際に用いられるガス遮断装置に関し、さらに詳しくは、管路遮断用バッグの抜き取り時でのガスの放出を抑制する構成に関する。
【背景技術】
【０００２】
ガス生成工場より生産された都市ガスは、高圧〜低圧の各ライン供給用として設けられている本支管を介して需要家に供給されている。
そして近年、大地震等の災害に備えて各ラインの管路メンテナンスを実施している。このような管路メンテナンスを行う場合には、通常メンテナンス対象区域のガスを遮断して、管路の入替え，または更生修理等が行われる。
そしてガスを遮断する場合には、予め管路に設けられている遮断バルブを閉塞するか、または管路内にエアバッグ（風船）等の管路遮断用バッグを導入して管内で膨張させ、管内を流通するガスを遮断する工法が用いられている（例えば、特許文献１，２）。
【０００３】
【特許文献１】特開平１０−８２４９６号公報（段落「００１７」欄）
【特許文献２】特開平１１−１５３２９８号公報
【発明の開示】
【発明が解決しようとする課題】
【０００４】
上記各特許文献に開示されている構成のガス遮断装置では、管路の敷設方向に沿って管路遮断用バッグを並べた状態で管内面に密着させ、バッグ同士の間を密封することにより管内を流動しようとするガスを遮断することができる。
【０００５】
しかし、並置されている管路遮断用バッグは、管内に残留する金属粉などが原因となる不測の事態により破損することもあり、この場合には管路内から取り出して交換する必要があるが、交換の際に大量のガスが放出される虞がある。
つまり、従来のガス遮断装置においては、管路遮断用バッグおよびこれの内部に連通可能な構成を有するパイプの挿通支持部が設けられているとともに、管路遮断用バッグ同士の間に漏れ出した僅かなガスを大気放出する構成があるが、このような構成では、管路遮断用バッグが抜き取られてしまうと、その挿通支持部を介して管内が開放された状態となることで大量のガスが放出されることになる。
【０００６】
一方、特許文献２に開示されているように、管内に挿入される管路遮断用バッグは、この内部に連通可能な構成を有するパイプを心棒として作業者が手で持ちながら管内に誘導することになる。しかし、心棒となるパイプは軸線が直線状である場合、その先端に位置する管路遮断用バッグがパイプ外周面に位置する関係でパイプ先端では外径が大きくなっている、このため、管路に形成されている連通孔に対して管路遮断用バッグが干渉しないようにパイプを斜めに差し込み、管内に管路遮断用バッグが導入されてからパイプの軸線を管路の軸線と直角になるように起こして管路遮断用バッグが管内のガスの流動方向と直角に対面する状態とする手順が採られることが多い。
しかし、このような手順では、斜めに差し込まれた状態から起こされる際に管路遮断用バッグの外周面が管内面を摺擦することになり、例えば、金属粉などが残存していると外周面が傷つけられてしまうことがある。さらに、パイプを起こす際には、管路遮断バッグの向きが管内でのガスの流動方向と直角な状態となることがバッグと管内面との密着性を確保する上で重要となるが、起こし方が不十分であると密着性が損ねられたままとなったりあるいはパイプの姿勢が正確にガスの流動方向に対して直角となっているかどうかを確認する術がないのが現状である。また、交換時などに抜き取る場合においても、管内での管路遮断用バッグの向きを維持したまま抜き取ると、管路遮断用バッグが連通孔の周縁に突き当たりやすく、抜き取りにくくなる。
【０００７】
本発明の目的は、上記従来管路遮断装置における問題に鑑み、管路遮断用バッグを取り出した時点での不用意なガスの放散を防止できると共に、管内での管路遮断用バッグの設置状況を挿入当初から最終的な設置状態を確認できる構成を備えたガス遮断装置を提供することにある。
【課題を解決するための手段】
【０００８】
請求項１記載の発明は、ガスが流通する管路に形成された小径の連通孔に対して該ガスの流動方向に沿って一対の管路遮断用バッグを挿入する構成を備えたガス遮断装置において、上記バッグおよびこれに対する気体流通部材を挿通させるバッグ挿入装置と、上記バッグ挿入装置と上記管路における連通孔との間に配置されて該連通孔を外部と遮断可能なシャッター装置を備え、上記シャッター装置は、上記一対の管路遮断用バッグの一つが抜き取られた際に、残置されている側の管路遮断用バッグの外周囲を挟持して抜き取られた管路遮断用バッグの挿通位置を塞ぐことができる構成を備えていることを特徴としている。
【０００９】
請求項２記載の発明は、請求項１記載の発明に加えて、上記シャッター部材は、上記管路の敷設方向に沿って摺動することで上記抜き取られた管路遮断用バッグの挿通位置を横断することが可能な一対のシャッター板を備え、該シャッター板における対向面に上記残置されている側の管路遮断用バッグの外周囲の半分の領域を挟持する形状の挟持面が設けられていることを特徴としている。
【００１０】
請求項３記載の発明は、請求項１または２記載の発明に加えて、上記シャッター部材は、その対向面同士の対向状態により、上記残置されている側の管路遮断用バッグ若しくは管路遮断用バッグの両方を挟持しない位置および全ての管路遮断用バッグが抜き取られた後にそれら管路遮断用バッグの挿通位置の全てを塞ぐことができる位置にそれぞれ摺動することができる構成を備えていることを特徴としている。
【００１１】
請求項４記載の発明は、請求項２または３記載の発明に加えて、上記シャッター板は、同一線上で摺動する構成であることを特徴としている。
【００１２】
請求項５記載の発明は、請求項１乃至４のうちの一つに記載の発明に加えて、上記管路遮断用バッグの内部に連通可能な気体流通部材は、気体流通が可能なパイプで構成され、該パイプは、長手方向において上記管路遮断用バッグが取り付け位置以外が該バッグ取り付け位置の中心に対して偏心した構成が用いられることを特徴としている。
【発明の効果】
【００１３】
請求項１記載の発明によれば、一対のバッグの一つが抜き取られた後に、抜き取られたバッグの挿通位置が開放状態となるのを防止して管内からのガスの放散を抑止することが可能となる。
【００１４】
請求項２記載の発明によれば、バッグの挿通位置を横断する方向に摺動する一対のシャッター板の対向面に、バッグの外周囲の半分の領域を挟持可能な挟持面が設けられているので、シャッター板を閉じる方向に応じて残置されているバッグを挟持して抜き取られたバッグの挿通位置を塞ぐことができる。これにより、抜き取られた後のバッグ挿通位置からのガスの放散が確実に防止されることになる。
【００１５】
請求項３記載の発明によれば、シャッター板は、バッグの一方若しくは両方を挟持しない位置および全てのバッグが抜き取られた後のそれらバッグの挿通位置の全てを塞ぐことができる位置に摺動することができるので、バッグの残置状態に関係なく管路内からのガスの放散を防止することが可能となる。
【００１６】
請求項４記載の発明によれば、シャッター板が同一線上で摺動する構成であるので、異なる線上でシャッター板に突き当たる場合と違って、バッグが装備されている支持パイプにモーメントを生起させることがない。これにより、管内に設置されているバッグが管内で正立姿勢を維持されてバッグと管内面との密着性が変化するのを防止することが可能となる。
【００１７】
請求項５記載の発明によれば、管内に挿通されるバッグは、これが取り付けられている気体流通部材がバッグ取り付け位置の中心に対して偏心しているので、管路敷設方向に対して直角にバッグを挿入した後、気体流通部材を管内で回転させることによりバッグの向きを所定の向きに設定することができる。
これにより、管路に対してバッグを斜めにして抜き差しするようなことがないので、斜めに抜き差しする場合と違って斜めにするためのスペースを必要としないですむ。このため、バッグを挿入する際に用いられる挿入部のサイズが、斜めにするためのスペースが不要となる分、小さくでき、バッグ挿入部の構成を小型化することが可能となる。
しかも、小径の連通孔からバッグを差し込む際にバッグが連通孔内周縁に干渉しないように斜めに挿入してから起こすというような複雑な作業が不要となり、バッグの最終的な姿勢を保持したままの自然な態位で管内へのバッグ挿入が可能となる。
また、バッグを抜き取る際にも、一旦、気体流通部材を回転させることでバッグの向きを連通孔から抜き取りやすい向きに設定することができるので、斜めにすることなく、設置時での気体流通部材の姿勢と同じ状態で垂直に抜き取ることで連通孔との干渉などを起こすことなく抜き取ることが可能となり、バッグの破損によるガスの放出事故などを生じることなく作業性を向上させることができる。
【発明を実施するための最良の形態】
【００１８】
以下、図面に示す実施例により本発明を実施するための最良の形態について説明する。
【実施例】
【００１９】
図１は、本実施例によるガス遮断装置１が管路Ｐに設置されている状態を示す図である。以下にガス遮断装置１に関する概要を説明し、次いで、本実施例の特徴部分について説明する。
同図においてガス遮断装置１は、管路Ｐの敷設方向に沿って一対の管路遮断用バッグＢ，Ｂ’を並置できる構成を備えており、このための構成として、管路遮断用バッグＢ，Ｂ’を管路Ｐの内部に挿入するためのバッグ挿入装置２と、バッグ挿入装置２の台座を兼ねて管路Ｐの外周面に搭載されるシャッター装置３とが備えられている。
管路遮断装置１は、バッグ挿入装置２を上部に一体化されたシャッター装置３により管路Ｐに設置される。このため、シャッター装置３には、図２に示すように、管路Ｐに捲装されるチェーンＣを掛け止めできる係止部３Ｐ、３Ｐ’が設けられており、管路Ｐに形成されている連通孔Ｐ１とシャッター装置３との位置決めが行われた状態で管路Ｐの外周面に搭載された状態で設置できるようになっている。  
【００２０】
本実施例におけるバッグ挿入装置２は、筒体で構成されて内部と連通する放散口２Ａ１を備えた本体２Ａと、本体２Ａの上部に取り付けられて本体２Ａの内部を塞ぐことが可能な蓋体２Ｂと、本体２Ａ内に挿入されるバッグ用気体流通部材をなす支持パイプ４，４’を位置決めするためのガイド部材２Ｃとを備えている。
【００２１】
本体２Ａの放散口２Ａ１には、外部と連通可能な放散パイプ５が連結されており、管路Ｐの内部からの漏洩ガスを大気放散することができるようになっている。
蓋体２Ｂは、本体２Ａの内部を塞ぐ部材であるが、管路遮断用バッグＢ，Ｂ’への膨張気体の供給路を備えて管路遮断用バッグＢ，Ｂ’が一体化されている支持パイプ４，４’を挿通支持するための支持孔（図示されず）が設けられている。
支持パイプ４，４’のうちで、管路Ｐの内部においてガスの流動方向（矢印Ａで示す方向）上流側に位置する支持パイプ４には、膨張気体の供給路に加えて、管路Ｐ内を流れるガスの一部を放散するための流路が形成された構成とされており、管路Ｐ内に挿入されて膨張しようとする管路遮断バッグ４がガスの圧力によって押し動かされるのを防止して管内面との密着性を高める構成とされている。
【００２２】
ガイド部材２Ｃは、本体２Ａの断面中心をはさんで対称位置に設けられて支持パイプ４，４’の位置決めを行う部材である。
図１（Ｂ）は、図１（Ａ）における符号（Ｂ）で示す方向の矢視断面図であり、同図においてガイド部材２Ｃは、本体２Ａに挿通支持されて回転可能な操作ロッド２Ｃ１と、操作ロッド２Ｃ１における本体２Ａ内の軸端に一体化されているガイド板２Ｃ２とを備えている。
ガイド板２Ｃ２は平面視形状が凸形状をなし、互いの凸部が重なり合う位置関係を設定されている。これにより、ガイド板２Ｃ２同士が本体２Ａの内面を横断する状態に倒されると凸部に隣り合う段部に支持パイプ４，４’を位置させることで蓋体２Ｂにより長手方向の一端を支持されている支持パイプ４，４’の長手方向他端側を位置決めして支持パイプ４，４’を正立状態に維持することができるようになっている。
【００２３】
シャッター装置３は、本実施例の特徴部分であり、その詳細な構成が図３以降の図に示されている。
図３は、シャッター装置３の動作原理を説明するための模式図であり、同図においてシャッター装置３は、管路Ｐの敷設方向に沿って摺動することにより管路Ｐ側の連通孔Ｐ１を横断することができる一対のシャッター板３Ａ、３Ａ’を備えており、シャッター板３Ａ、３Ａ’の対向面には支持パイプ４，４’の半周面に対応した形状の凹部からなる挟持部３Ａ１，３Ａ１’が形成されている。
このような構成のシャッター板３Ａ、３Ａ’は、図３（Ａ）に示すように、連通孔Ｐ１に嵌め込まれているカバー（便宜上、図では連通孔を示す符号Ｐ１を用いて示してある）を開放する位置（全開位置）、図３（Ｂ）および（Ｃ）に示すように、支持パイプ４，４’のうちで、一つが抜き取られた際に残置されている側の支持パイプ４あるいは４’の外周囲を相対的に挟持することができる位置、そして図３（Ｄ）に示すように、支持パイプ４，４’が挿入されていない場合に連通孔Ｐ１を塞ぐことができる位置にそれぞれ変位することができるようになっている。
図３（Ａ）に示した連通孔Ｐ１の全開位置でのシャッター板３Ａ、３Ａ’の位置決めは、シャッター装置３のガイドユニット（図４（Ｂ）において符号３１で示す部材）に設けられているピン６，６’に衝合することにより行われる。なお、図３（Ａ）において符号２Ｃ２は、図２（Ｂ）において説明したガイド板であり、支持パイプ４，４’の位置決め状態を参考的に示してある。また、図３（Ｂ）〜図３（Ｄ）において、図３（Ａ）に示した全開時でのシャッター板３Ａ、３Ａ’の位置を二点鎖線により参考的に示してある。
【００２４】
図４乃至図７は、図３（Ａ）〜（Ｄ）に示す状態を得るための実際の構成を示す図であり、各図において、（Ａ）はシャッター板の幅方向中心線を境にして一部を露出させた状態での平面図であり、（Ｂ）はシャッター装置３の幅方向中心線を破断面とした断面図ある。なお、図３（Ｃ）に示した状態は、図３（Ｂ）の状態と相対的な関係にあるので、その状態での構成図は省くことを前置きしておく。
図４において、シャッター装置３は、ベースユニット３０（図４（Ｂ）参照）とガイドユニット３１とを備えており、これらユニットのうちでベースユニット３０は管路Ｐに搭載される部分であり、ガイドユニット３１はベースユニット３０に搭載されてシャッター板３Ａ、３Ａ’をガイドするための部分である。
【００２５】
ベースユニット３０およびガイドユニット３１は、管路Ｐに形成されている連通孔Ｐ１を露呈させることができる大きさを持たせて形成された開口部３０Ａ、３１Ａが同心線上で連通しており、ベースユニット３０は、管路Ｐの外周面に対してゴムなどの可撓性部材からなるシール材３２を介して設置されるようになっている。
【００２６】
ガイドユニット３１は、後述するように、内部構造が異なる関係上、上部側ユニット３１Ｂと下部側ユニット３１Ｃとを合わせた構成とされており、その合わせ面には同一線上となるようにシャッター板３Ａ、３Ａ’の摺動面が設けられている。この構造により、シャッター板３Ａ、３Ａ’が異なる線上で支持パイプ４，４’に突き当たる場合と違って、支持パイプ４，４’にモーメントを生起させることがない。
ガイドユニット３１のうちで下部側ユニット３１Ｃは、開口部３１Ａの周辺において上部側ユニット３１Ｂと対向する面がシャッター板３Ａ、３Ａ’の下面に当接するように平坦面とされているのに対して上部側ユニット３１Ｂは、下部側ユニット３１Ｃにおける開口３１Ａの周辺部および開口３１Ａが形成されている範囲が凹部３１Ｄとされている。
凹部３１Ｄの内部は、シャッター板３Ａ、３Ａ’同士の対向面側端部に設けてあるストッパ片３Ａ２，３Ａ２’が摺動できる深さを持たせてあり、ストッパ片３Ａ２，３Ａ２’のうちで、図６に示すように、連通孔Ｐ１を全閉する際に相手側のシャッター板３Ａ’側に向けて移動するシャッター板３Ａにおけるストッパ片３Ａ２の上面に対向する位置には、ストッパ片３Ａ２に形成されている傾斜面３Ａ１０に衝合することができる傾斜面３１Ｄ１が形成されている。これにより、連通孔Ｐ１を全閉するために移動するシャッター板３Ａの移動位置を規定することができるようになっている。
【００２７】
一方、シャッター板３Ａ、３Ａ’には、図４（Ａ）に示すように、手を差し入れることが可能な把持孔３Ａ１１，３Ａ１１’を形成されている操作ハンドル部３Ａ１２，３Ａ１２’が設けられている。
操作ハンドル３Ａ１２，３Ａ１２’は、その厚さが上部側ユニット３１Ｂの上面と面一となることができる厚さとされている。
本実施例では、操作ハンドル３Ａ１２，３Ａ１２’と上部側ガイドユニット３１Ｂとの上面が面一となるように操作ハンドル部３Ａ１２，３Ａ１２’の厚さを規定することを利用して、操作ハンドル部３Ａ１２，３Ａ１２’が上部側ガイドユニット３１Ｂの側端縁に突き当たるようになっており、これにより、図５および図６に示すように、シャッター板３Ａ、３Ａ’が押し動かされた際の移動位置を規定できるようになっている。
【００２８】
シャッター板３Ａ、３Ａ’は、上部側ユニット３１Ｂに形成されている凹部３１Ｄ内を摺動するストッパ片３Ａ２，３Ａ２’が設けられている端部から操作ハンドル部３Ａ１２，３Ａ１２’に至る長さを互いに異ならせてある。
これは、連通孔Ｐ１を全閉する際に用いられる側のシャッター板（本実施例では、図６に示すように符号３Ａで示すシャッター板）が他方のシャッター板３Ａ’よりも長くされているという関係であり、本実施例では、図４において左側に位置するシャッター板３Ａが連通孔Ｐ１の全閉に用いられる関係とされていることにより右側に位置するシャッター板３Ａ’よりも長くされている。
図４において右側に位置するシャッター板３Ａ’の長さは、図５に示すように、少なくとも左側に位置する支持パイプ４の半周面に当接することができる長さが設定されている。
【００２９】
上部側ユニット３１Ｂおよびシャッター板３Ａ、３Ａ’側に位置する操作ハンドル部３Ａ１２，３Ａ１２’の上面間には、係止装置３３，３３’が設けられている。
係止装置３３，３３’は、シャッター板３Ａ、３Ａ’を移動位置に保持するための係合構造を有する部材であり、特に、図５に示すように、左側に位置する支持パイプ４の半周面に当接した際のシャッター板３Ａ’が、また、連通孔Ｐ１を全閉した状態（図６に示す状態）にあるときのシャッター板３Ａがそれぞれ移動を規制されるようになっている。
係止部材３３，３３’の構成としては、詳細を説明しないが、操作ハンドル部３Ａ１２，３Ａ１２’側に設けてある折り返し片からなる係止片３３Ａ、３３Ａ’を掛け止めて反転させることができるトグル機構からなる受け金部材（図４中、符号３３Ｂ，３３Ｂ’で示す部材）を反転支点に対する反転位置を変化させて係止片３３Ａ、３３Ａ’を牽引状態に維持することができる構成などが用いられる。
【００３０】
図４において、シャッター板３Ａ、３Ａ’の対向面には、図示しないが、シール部材が設けてあり、また、ガイドユニット３１におけるシャッター板３Ａ、３Ａ’の摺動面にもシール部材が設けられてシャッター装置３の外部へのガスの漏洩を抑制している。
なお、図４において、符号３４は、連通孔Ｐ１にねじ込まれて固定される支持パイプ挿嵌用ガイドを示しており、連通孔Ｐ１内周縁に生じているバリなどから管路遮断用バッグを保護する部材として用いられる部材である。
また、符号３５は、上部側ユニット３１Ｂの上面に設けられてバッグ挿入装置２を連結するための締結部を示している。
【００３１】
本実施例は以上のような構成であるから、管路Ｐ内に管路遮断用バッグＢ，Ｂ’の支持パイプ４，４’が挿入される際および管路遮断用バッグＢ，Ｂ’の抜き取りが行われない場合には、図３（Ａ）および図４に示すように、シャッター装置３ではシャッター板３Ａ、３Ａ’がそれぞれ支持パイプ４，４’に干渉しないように、連通孔Ｐ１を全開した状態を設定できる位置まで移動した状態を維持される。
この状態では、シャッター板３Ａ、３Ａ’がそれぞれベースユニット３０側に設けてあるピン６に衝合することにより全開位置に位置決めされた状態を維持される。
【００３２】
管路遮断用板具Ｂ，Ｂ’に不具合が生じ交換が必要となった場合には、該当する支持パイプが管路Ｐから抜き出される。
この場合には、図３（Ｂ）および図５に示すように、残置されている支持パイプ４がシャッター板３Ａ、３Ａ’により相対的に挟持されることにより抜き取られた後の支持パイプ４’の挿通位置を塞ぐ。
残置されている支持パイプ、図３（Ｂ）および図５に示す場合は支持パイプ４を対象としてその外周面をシャッター板３Ａ、３Ａ’により挟持することになる。
このため、シャッター板３Ａ、３Ａ’のうちで、抜き取られた支持パイプ４’側に位置しているシャッター板３Ａ’は、残置されている支持パイプ４側に向けて摺動されるとともに、全開位置にあった、今ひとつのシャッター板３Ａも支持パイプ４側に向けて摺動される。
これにより、管路遮断用バッグＢ，Ｂ’の挿通位置である連通孔Ｐ１を横断した状態でシャッター板３Ａ、３Ａ’が摺動され、かつ、摺動時には、シャッター板３Ａ、３Ａ’同士が同一線上を移動する。
これらシャッター板３Ａ、３Ａ’により外周面を挟持される支持パイプ４は、挟持位置が同一線上で一致していることにより軸方向で傾きを起こさせるようなモーメントを生じることなく外周面全域をシャッター板３Ａ、３Ａ’と密着させることになる。この結果、支持パイプ４にモーメントが生じるような場合と違って、支持パイプ４に無用な倒れ現象を起こさせないので、バッグと管内面との密着性が変化するのを防止できることになる。
【００３３】
残置された支持パイプ４を挟持することで抜き取られた支持パイプ４’の挿通位置を塞いだ状態にあるシャッター板３Ａ、３Ａ’は、支持パイプ４を挟持した位置で保持されることになるが、本実施例では、図５に示すように、係止装置３３’を用いて操作ハンドル部３Ａ１２’に有する係止片３３Ａ’を受け金部材３３Ｂ’に係合させて掛け止め状態とすることによりシャッター板３Ａ、３Ａ’が支持パイプ４を挟持する位置に保持される。このときの係止片３３Ａ’と受け金部材３３Ｂ’との係合位置は、操作ハンドル部３Ａ１２の端面がこの面に対向する上部側ユニット３１Ｂの端面に突き当たることで行われる。
【００３４】
一方、支持パイプ４，４’の両者が抜き取られた場合には、各支持パイプ４，４’の挿通位置を塞ぐことで管内からのガスの放出が継続されるのを阻止することが必要となる。この場合には、図３（Ｄ）および図６に示すように、シャッター板３Ａが全開位置にあるシャッター板３Ａ’に向けて摺動される。
シャッター板３Ａは、ストッパ片３Ａ２に形成されている傾斜面３０Ａ１０が上部側ユニット３１Ｂ側に位置する凹部３１Ｄの傾斜面３１Ｄ１に衝合すると、支持パイプ４，４’の挿通位置、つまり、支持パイプ挿嵌用ガイド３４（図４参照）の全域を覆うことができる位置に位置決めされるようになっており、さらに、この位置は、操作ハンドル部３Ａ１２の端面とこれに対向する上部側ユニット３１Ｂの端面とが突き当たることにより規定され、そして、この位置での保持は、係止装置３３における係止片３３Ａに対する受け金部材３３Ｂの反転状態を設定して牽引状態とすることにより行われる。
【００３５】
以上のような実施例によれば、支持パイプ４，４’が抜き取られた後のこれら支持パイプ４，４’の挿通位置をシャッター板３Ａ、３Ａ’の摺動により塞ぐだけで挿通位置からガスが放出するのを確実に防止することができる。しかも、その操作においては、シャッター板３Ａ、３Ａ’の摺動というきわめて簡単な操作ですむ。しかも、シャッター板３Ａ、３Ａ’が同一線上で移動する構成であるので、高さ方向での丈を小さくすることができる。
なお、シャッター板３Ａ、３Ａ’が支持パイプ４，４’の半周面に当接する際には、バッグ挿入装置２に設けてあるガイド部材２Ｃにより支持パイプ間の中心間距離を規定されているが、仮に、ガイド部材２Ｃの寸法誤差などにより支持パイプ４，４’が僅かでも位置ずれしていると、挟持しにくくなることもある。
そこで、シャッター板３Ａ、３Ａ’における挟持部３Ａ１．３Ａ１’の形状として、支持パイプ４，４’の外形に倣う半円形ではなく、調芯機能を発揮するように、維持パイプが入り込み始める縁の一部に三角形などの形状でテーパ面を設けておくとシャッター板３Ａ。３Ａ’が摺動して互いに接近するに従い、挟持部３Ａ１，３Ａ１’に入り込んだ支持パイプ４，４’が調芯されて挟持部３Ａ１，３Ａ１’と周面との密着性を確保する上で都合がよいといえる。
また、シャッター板３Ａ、３Ａ’は、人の手により摺動させる構成に限らず、流体あるいはモータなどの駆動源を用いた構成とすることも可能である。
さらに、シャッター板３Ａ、３Ａ’は、同一線上に位置する一対の板部材で構成することに限らず、図７に示すように、一方のシャッター板が１枚とされ、他方のシャッター板が一方のシャッター板を上下方向で挟み込んで、いわゆるサンドイッチ状態とした構成とすることも可能である。この構成では、例えば、上下に設けた側のシャッター板を支持パイプの挿通位置を全閉する場合に用いるシャッターとすると、ガスの放出量が多い状態を対象として上下に２段構えのシール部ができることになり、ガスの放出量が多い場合でもガスの放出を抑止することができる。
【００３６】
次に、本実施例における一部変形例について説明する。
本構成は、ガスの不用意な放出を招く虞のある部材である管路遮断用バッグＢ，Ｂ’を装備されている支持パイプの構成に特徴がある。
図８は、直管状の支持パイプ（便宜上、符号４０で示す）を管路内から抜き取る場合を示す図であり、この場合には、管路Ｐ内で管路Ｐの敷設方向の直角な姿勢でかつ連通孔Ｐ１の中心に対して外側に向いた管路遮断用バッグＢが設置されている（図８（Ａ）参照）。この状態において抜き取る際には、そのまま支持パイプ４０を引き上げると管路遮断用バッグＢが連通孔Ｐ１の周縁に突き当たり、抜き取りが困難となる（図８（Ｂ）参照）。そこで、図８（Ｃ）に示すように、連通孔Ｐ１との干渉を防ぐために、支持パイプ４０を斜めにして管路遮断用バッグＢが連通孔Ｐ１に当たらないようにして引き上げる作業が必要となる。挿入時には上述した場合と逆の手順が用いられる。
このため、良品の状態にある管路遮断用バッグＢの挿入あるいは抜き取りに際しては、管路遮断用バッグＢに裂傷を生じさせやすくなるばかりでなく、その作業において慎重性を求められることから作業時間の長大化や慣れ等が必要となる。
【００３７】
しかも、支持パイプ４０を斜めにした状態で抜き差しする場合には、管路外に位置する支持パイプ４０の挿入操作位置において支持パイプを斜めにするためのスペースが必要となり、それだけバッグ挿入装置（例えば、図１において符号２で示した装置）側の内部空間を大きくしなければならなくなる。これにより、バッグ挿入装置側のサイズが不用意に大きくなり、運搬あるいは設置の際の労力負担などの増加などを招く。
【００３８】
本実施例では、図９に示すように、支持パイプ（便宜上、図９において符号４１で示す）の長手方向における管路遮断用バッグＢが取り付けられている部分以外の位置が管路遮断用バッグの取り付け位置での中心に対して偏心させてあり、図９に示す構成では略Ｓ字状をなしている。
本構成では、抜き取る場合で説明すると、管路遮断用バッグＢが管路Ｐ内において図８に示した場合と同様に、管路Ｐの敷設方向と直角な姿勢でかつ管路遮断用バッグＢが連通孔Ｐ１の中心から外側に向けられて設置されている（図９（Ａ）参照）。
管路遮断用バッグＢを抜き取る際には、支持パイプ４１を半回転させる（図９（Ｂ）参照）。これにより、それまで連通孔Ｐ１の外側に向いていた管路遮断用バッグＢは、連通孔Ｐ１の範囲内に向くことになり、この状態のままで支持パイプ４１を引き上げることで、連通孔Ｐ１に干渉することなく管路遮断用バッグＢを抜き取ることができる（図９（Ｃ）参照）。
【００３９】
本実施例の構成においては、支持パイプ４１の長手方向での形態を一部変更するだけの簡単な構成により、支持パイプ４１は、斜めにすることなく半回転させた姿勢のままで抜き差しできる。これにより、斜めにした状態で抜き差しする場合と違って、管路外に位置する支持パイプ４１の挿入操作位置には、支持パイプを斜めにするためのスペースが要らなくなるので、図１に示したバッグ挿入装置２の内部空間を不用意に大きくしないようにできる。この結果、バッグ挿入装置２の小型化を図ることができ、前述したような労力負担や材料コストなどの低減が可能となる。
しかも抜き際の際には、連通孔Ｐ１との干渉を招くことなく管路遮断用バッグＢを挿入および抜き取ることができ、その作業時には、支持パイプ４１を斜めにすることなく設置状態と同じ状態で、単に半回転させるという簡単な作業ですむので、作業性を向上させることができる。さらに、連通孔Ｐ１との干渉による管路遮断用バッグＢの裂傷を防止できると共に、斜めに挿入した場合のような管内での支持パイプ４１の起こし操作が不要となるので、起こす際に管路遮断用バッグＢが摺擦されて管内の異物により破損するということも未然に防止できる。
なお、半回転を行う際の管路遮断用バッグＢの向きを作業者が容易に認識できるように、支持パイプ４１の周面の一部に刻印などで印を付けておき、その印が管路Ｐの敷設方向に対して半回転した際に抜き取りあるいは挿入するようにすると、さらに作業の簡易性を得ることができる。
【図面の簡単な説明】
【００４０】
【図１】本発明の実施例によるガス遮断装置を管路に設置した状態を示す図である。
【図２】図１に示したガス遮断装置を管路に設置するための構成を示す図である。
【図３】本発明実施例によるガス遮断装置の作動原理を説明するための図であり、（Ａ）は管路側の連通孔を全開した状態を、（Ｂ）および（Ｃ）は、残置された気体流通部材である支持パイプを挟持する状態を、（Ｄ）は連通孔を全閉した状態をそれぞれ示している。
【図４】図３（Ａ）に示した状態でのガス遮断装置の構成を示す図であり、（Ａ）は平面図、（Ｂ）は側部断面図である。
【図５】図３（Ｃ）に示した状態でのガス遮断装置の構成を示す図であり、（Ａ）は平面図、（Ｂ）は側部断面図である。
【図６】図３（Ｄ）に示した状態でのガス遮断装置の構成を示す図であり、（Ａ）は平面図、（Ｂ）は側部断面図である。
【図７】図４に示したシャッター装置におけるシャッター板の変形例を示す図である。
【図８】ガス遮断装置に用いられる管路遮断用バッグの抜き取り状態を説明するための図であり、（Ａ）は管路遮断用バッグの設置状態を、（Ｂ）は抜き取り開始時での状態を、（Ｃ）は抜き取り途中の状態をそれぞれ示している。
【図９】本実施例によるガス遮断装置に用いられる管路遮断用バッグの抜き取り状態を説明するための図であり、（Ａ）は管路遮断用バッグの設置状態を、（Ｂ）は抜き取り開始時での状態を、（Ｃ）は抜き取り途中の状態をそれぞれ示している。
【符号の説明】
【００４１】
１                      ガス遮断装置
２                      バッグ挿入装置
２Ａ                    バッグ挿入装置の本体
３                      シャッター装置
３Ａ、３Ａ’            シャッター板
３Ａ１，３Ａ１’        挟持部
３Ａ２，３Ａ２’        ストッパ片
３Ａ１０                傾斜面
３Ａ１２，３１Ａ１２’  操作ハンドル部
４．４’                支持パイプ
６，６’                ピン
３０                    ベースユニット
３０Ａ                  開口
３１                    ガイドユニット
３１Ａ                  開口
３１Ｂ                  上部側ユニット
３１Ｃ                  下部側ユニット
３１Ｄ                  凹部
３１Ｄ１                傾斜面
３４                    パイプ挿嵌用ガイド
Ｐ                      管路
Ｐ１                    連通孔
【図１】
2005140158.tif 000003
【図２】
2005140158.tif 000004
【図３】
2005140158.tif 000005
【図４】
2005140158.tif 000006
【図５】
2005140158.tif 000007
【図６】
2005140158.tif 000008
【図７】
2005140158.tif 000009
【図８】
2005140158.tif 000010
【図９】
2005140158.tif 000011